(57)【要約】【課題】より適切であると考えられる設定に従って録画を行うことができるようにする。【解決手段】録画装置１には自動録画機能が設けられている。例えば、第１の録画条件に合うとして選択されたコンテンツと、第２の録画条件に合うとして選択されたコンテンツが同じコンテンツである場合、録画装置１においては、その録画対象のコンテンツを、第１の録画条件に設定された録画モードに従って録画するのか、第２の録画条件に設定された録画モードに従って録画するのかが判断され、最も高画質で録画できる録画モードに従って録画を行うことが決定される。本発明は、ハードディスクレコーダ、光ディスクレコーダ、パーソナルコンピュータなどの、デジタル放送の受信機能を有する装置に適用することができる。【選択図】図１
2009071399.tif 000002
【特許請求の範囲】
【請求項１】
EPGデータを記憶する記憶手段と、
録画の対象とするコンテンツの条件と、コンテンツを録画するときの画質に関する設定を対応付けて管理する管理手段と、
前記管理手段により管理されている条件に合うコンテンツを前記記憶手段に記憶されているEPGデータを参照して検索し、録画の対象とするコンテンツを選択する検索手段と、
第１の条件に合うコンテンツであるとして前記検索手段により選択されたコンテンツと、前記第１の条件と異なる第２の条件に合うコンテンツであるとして前記検索手段により選択されたコンテンツとが同じコンテンツである場合、いずれの条件に対応付けて前記管理手段により管理されている画質に関する設定に従って録画を行うのかを判断する判断手段と、
前記判断手段により判断された設定に従って、前記検索手段により選択されたコンテンツの録画を行う録画手段と
を備える録画装置。
【請求項２】
前記管理手段は、画質に関する設定として、転送レートの設定を録画の対象とするコンテンツの条件と対応付けて管理し、
前記判断手段は、転送レートの高い方の設定に従って録画を行うように判断する
請求項１に記載の録画装置。
【請求項３】
EPGデータを記憶し、
録画の対象とするコンテンツの条件と、コンテンツを録画するときの画質に関する設定を対応付けて管理し、
管理している条件に合うコンテンツを、記憶しているEPGデータを参照して検索し、録画の対象とするコンテンツを選択し、
第１の条件に合うコンテンツであるとして選択したコンテンツと、前記第１の条件と異なる第２の条件に合うコンテンツであるとして選択したコンテンツとが同じコンテンツである場合、いずれの条件に対応付けて管理している画質に関する設定に従って録画を行うのかを判断し、
判断した設定に従って、選択したコンテンツの録画を行う
ステップを含む録画方法。
【請求項４】
EPGデータを記憶し、
録画の対象とするコンテンツの条件と、コンテンツを録画するときの画質に関する設定を対応付けて管理し、
管理している条件に合うコンテンツを、記憶しているEPGデータを参照して検索し、録画の対象とするコンテンツを選択し、
第１の条件に合うコンテンツであるとして選択したコンテンツと、前記第１の条件と異なる第２の条件に合うコンテンツであるとして選択したコンテンツとが同じコンテンツである場合、いずれの条件に対応付けて管理している画質に関する設定に従って録画を行うのかを判断し、
判断した設定に従って、選択したコンテンツの録画を行う
ステップを含む処理をコンピュータに実行させるプログラム。
【発明の詳細な説明】
【技術分野】
【０００１】
本発明は、録画装置、録画方法、およびプログラムに関し、特に、より適切であると考えられる設定に従って録画を行うことができるようにした録画装置、録画方法、およびプログラムに関する。
【背景技術】
【０００２】
近年販売されているハードディスクレコーダ、光ディスクレコーダ、パーソナルコンピュータなどの、デジタル放送を受信し、番組を録画する機能を持つ機器の中には、いわゆる自動録画機能が搭載されているものがある。自動録画機能は、ユーザにより設定された条件に合う番組の検索をEPGデータを元に行い、その検索結果やユーザの過去の使用状況から得られる嗜好情報を用いて録画対象の番組を選択し、選択した番組の録画を自動的に行うものである。
【０００３】
有名人の名前を指定したり、番組のジャンルを指定したりして、ユーザは複数の条件を設定することができるようになされている。また、ユーザは、条件毎に、転送レートなどの画質に関する設定をも行うことができるようになされている。
【０００４】
これにより、ユーザは、例えば、番組のジャンルとして音楽番組を指定した第１の条件に転送レートの低い録画モードをあらかじめ設定しておくことによって、データ量を抑えて、音楽番組を自動的に録画させることができる。
【０００５】
また、ユーザは、お気に入りの有名人の名前を指定した第２の条件に転送レートの高い録画モードをあらかじめ設定しておくことによって、その人が出演する番組を高画質で自動的に録画させることができる。
【０００６】
特許文献１には、EPGデータが更新されるたびに、あらかじめ設定されていた条件に従って番組を自動的に検索し、検索結果を表示したり、予約を設定したりする技術が開示されている。
【特許文献１】特開２００１−２２７８５号公報
【発明の開示】
【発明が解決しようとする課題】
【０００７】
従来の自動録画機能においては、ユーザが複数の条件を設定しており、それぞれの条件の検索結果の中に同一の番組が存在した場合、どの条件に対して設定されている録画モードに従って録画を行うかは、その検索の順番や機械的なマージのアルゴリズムに依存していた。
【０００８】
従って、上述した第１と第２の条件が設定されている場合、ユーザにより指定された有名人が出演する音楽番組などがいずれの条件にも合う番組として選択されるが、この番組は、例えば、先に検索に用いられた第１の条件に対して設定されている、転送レートの低い録画モードに従って録画が行われることになる。
【０００９】
本来、このような複数の条件に合う番組はユーザの嗜好によく合ったいわば重要な番組であると考えられることから、ユーザの望む範囲内でできるだけ高い転送レートで録画を行い、高画質のコンテンツを残しておくことが望ましい。
【００１０】
本発明はこのような状況に鑑みてなされたものであり、より適切であると考えられる設定に従って録画を行うことができるようにするものである。
【課題を解決するための手段】
【００１１】
本発明の一側面の録画装置は、EPGデータを記憶する記憶手段と、録画の対象とするコンテンツの条件と、コンテンツを録画するときの画質に関する設定を対応付けて管理する管理手段と、前記管理手段により管理されている条件に合うコンテンツを前記記憶手段に記憶されているEPGデータを参照して検索し、録画の対象とするコンテンツを選択する検索手段と、第１の条件に合うコンテンツであるとして前記検索手段により選択されたコンテンツと、前記第１の条件と異なる第２の条件に合うコンテンツであるとして前記検索手段により選択されたコンテンツとが同じコンテンツである場合、いずれの条件に対応付けて前記管理手段により管理されている画質に関する設定に従って録画を行うのかを判断する判断手段と、前記判断手段により判断された設定に従って、前記検索手段により選択されたコンテンツの録画を行う録画手段とを備える。
【００１２】
前記管理手段には、画質に関する設定として、転送レートの設定を録画の対象とするコンテンツの条件と対応付けて管理させ、前記判断手段には、転送レートの高い方の設定に従って録画を行うように判断させることができる。
【００１３】
本発明の一側面の録画方法またはプログラムは、EPGデータを記憶し、録画の対象とするコンテンツの条件と、コンテンツを録画するときの画質に関する設定を対応付けて管理し、管理している条件に合うコンテンツを、記憶しているEPGデータを参照して検索し、録画の対象とするコンテンツを選択し、第１の条件に合うコンテンツであるとして選択したコンテンツと、前記第１の条件と異なる第２の条件に合うコンテンツであるとして選択したコンテンツとが同じコンテンツである場合、いずれの条件に対応付けて管理している画質に関する設定に従って録画を行うのかを判断し、判断した設定に従って、選択したコンテンツの録画を行うステップを含む。
【００１４】
本発明の一側面においては、EPGデータが記憶され、録画の対象とするコンテンツの条件と、コンテンツを録画するときの画質に関する設定が対応付けて管理され、管理されている条件に合うコンテンツが、記憶されているEPGデータを参照して検索され、録画の対象とするコンテンツが選択される。また、第１の条件に合うコンテンツであるとして選択されたコンテンツと、前記第１の条件と異なる第２の条件に合うコンテンツであるとして選択されたコンテンツとが同じコンテンツである場合、いずれの条件に対応付けて管理されている画質に関する設定に従って録画を行うのかが判断され、判断された設定に従って、選択されたコンテンツの録画が行われる。
【発明の効果】
【００１５】
本発明の一側面によれば、より適切であると考えられる設定に従って録画を行うことができる。
【発明を実施するための最良の形態】
【００１６】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００１７】
本発明の一側面の録画装置（例えば、図１の録画装置１）は、EPGデータを記憶する記憶手段（例えば、図１のハードディスク１４）と、録画の対象とするコンテンツの条件と、コンテンツを録画するときの画質に関する設定を対応付けて管理する管理手段（例えば、図２の録画条件管理部４１）と、前記管理手段により管理されている条件に合うコンテンツを前記記憶手段に記憶されているEPGデータを参照して検索し、録画の対象とするコンテンツを選択する検索手段（例えば、図２の検索部４２）と、第１の条件に合うコンテンツであるとして前記検索手段により選択されたコンテンツと、前記第１の条件と異なる第２の条件に合うコンテンツであるとして前記検索手段により選択されたコンテンツとが同じコンテンツである場合、いずれの条件に対応付けて前記管理手段により管理されている画質に関する設定に従って録画を行うのかを判断する判断手段（例えば、図２の録画モード判断部４３）と、前記判断手段により判断された設定に従って、前記検索手段により選択されたコンテンツの録画を行う録画手段（例えば、図２の録画制御部４４）とを備える。
【００１８】
本発明の一側面の録画方法またはプログラムは、EPGデータを記憶し、録画の対象とするコンテンツの条件と、コンテンツを録画するときの画質に関する設定を対応付けて管理し、管理している条件に合うコンテンツを、記憶しているEPGデータを参照して検索し、録画の対象とするコンテンツを選択し、第１の条件に合うコンテンツであるとして選択したコンテンツと、前記第１の条件と異なる第２の条件に合うコンテンツであるとして選択したコンテンツとが同じコンテンツである場合、いずれの条件に対応付けて管理している画質に関する設定に従って録画を行うのかを判断し、判断した設定に従って、選択したコンテンツの録画を行うステップ（例えば、図５のステップＳ２２）を含む。
【００１９】
以下、本発明の実施の形態について図を参照して説明する。
【００２０】
図１は、本発明の一実施形態に係る録画装置１の構成例を示すブロック図である。
【００２１】
録画装置１は、ハードディスクレコーダ、光ディスクレコーダ、パーソナルコンピュータなどの、デジタル放送の受信機能を有する装置である。
【００２２】
録画装置１は、BS(Broadcasting Satellite)／CS(Communications Satellite)デジタル放送、地上デジタル放送によって放送されるコンテンツ（番組）の映像や音声をテレビジョン受像機から出力させたり、コンテンツを録画したりする。すなわち、録画装置１にはテレビジョン受像機が接続されるとともに、アンテナからの信号が供給されるようになされている。録画装置１はLAN(Local Area Network)を介してインターネットにも接続される。
【００２３】
図１のデジタル放送用チューナ１２は、制御部２１による制御に従って、RF入力端子１１に入力されるアンテナからのRF信号を受信、復調し、復調して得られた信号をデジタル放送のビットストリームに展開する。デジタル放送用チューナ１２は、制御部２１により指示された例えば録画対象のコンテンツのビットストリームをHostマイクロコンピュータ１３に出力する。
【００２４】
図１に示されるように、Hostマイクロコンピュータ１３はDemux３１とPSI/SI(Program Specific Information/Service Information)パーサ３２から構成される。
【００２５】
Demux３１は、デジタル放送用チューナ１２から供給されたビットストリームを映像ストリーム、音声ストリーム、データストリームのそれぞれのストリームに分離し、分離したストリームをPSI/SIパーサ３２に出力する。
【００２６】
PSI/SIパーサ３２は、Demux３１から供給されたストリームのうち、映像ストリームと音声ストリームからなるAVストリームをストリームバッファ１５に出力するとともに、データストリームを対象として解析処理を行い、現在時刻を含む日を基準として８日分などの、必要期間分の放送予定のコンテンツの情報を含むEPG(Electronic Program Guide)データをハードディスク１４に出力する。
【００２７】
PSI/SIパーサ３２により得られたEPGデータのうち、EIT(Event Information Table)から抽出されたコンテンツのタイトル、出演者の名前やあらすじなどの詳細情報、放送開始時刻、ジャンルの情報と、NIT(Network Information Table)とSDT(Service Description Table)から抽出された放送局名の情報が、録画対象とするコンテンツの検索用のEPGデータとしてハードディスク１４において管理される。
【００２８】
ハードディスク１４は、PSI/SIパーサ３２から供給されたEPGデータを記憶する。また、ハードディスク１４は、インターネット上のサーバからダウンロードされたEPGデータや、LANに接続される外部の機器から取得されたEPGデータがネットワーク端子１６を介して供給されたとき、それを記憶する。ハードディスク１４に記憶されているEPGデータは、適宜、制御部２１により読み出される。
【００２９】
ストリームバッファ１５は、Hostマイクロコンピュータ１３のPSI/SIパーサ３２から供給されたAVストリームをハードディスク１７に出力し、記憶させる。また、ストリームバッファ１５は、制御部２１による制御に従ってハードディスク１７から読み出されたAVストリームをMPEG(Moving Picture Experts Group)デコーダ１８に出力する。
【００３０】
ハードディスク１７は、ストリームバッファ１５から供給されたAVストリームを記憶する。ハードディスク１４とハードディスク１７は、例えば１つのハードディスクの領域がパーティションで区切られることによって実現される。
【００３１】
MPEGデコーダ１８は、ストリームバッファ１５から供給されたAVストリームをデコードし、デコードして得られた信号をビデオエンコーダ１９に出力する。
【００３２】
ビデオエンコーダ１９は、MPEGデコーダ１８から供給された信号に基づいて映像信号を生成し、生成した映像信号をビデオ出力端子２０からテレビジョン受像機に出力する。テレビジョン受像機においては、ビデオエンコーダ１９により生成された映像信号に基づいて、録画済みのコンテンツの映像などが表示される。
【００３３】
UI(User Interface)制御部２２は、リモートコントローラから送信されてきたコマンドを受信してコマンド解釈を行い、ユーザの操作の内容を表す信号を制御部２１に出力する。
【００３４】
以上のような構成を有する録画装置１は、EPGデータを参照し、放送予定のコンテンツの中から、ユーザにより設定された条件に合うコンテンツを録画対象のコンテンツとして自動的に選択する機能を有する。録画対象とするコンテンツの選択において、適宜、ユーザの嗜好が考慮されるようにしてもよい。
【００３５】
例えば、録画対象のコンテンツを選択する基準となる録画条件として、キーワード、ジャンルなどの複数の条件を設定することが可能とされる。第１の録画条件のキーワードとして有名人の名前が設定され、第２の録画条件のジャンルとして音楽番組が設定されている場合、第１の録画条件に従って、名前が設定された有名人が出演するコンテンツなどが録画対象として選択され、第２の録画条件に従って、音楽番組のコンテンツなどが録画対象として選択される。
【００３６】
録画対象として選択されたコンテンツの放送が開始されたとき、設定されている録画モードに従って、ユーザによる操作によらずに自動的に録画が行われる。すなわち、録画装置１においては、録画条件毎に、転送レートなどの録画モードを設定することが可能とされている。
【００３７】
このような自動録画の機能によって、例えば、第１の録画条件に合うとして選択されたコンテンツと、第２の録画条件に合うとして選択されたコンテンツとが同じコンテンツである場合、録画装置１においては、その録画対象のコンテンツを、第１の録画条件に設定された録画モードに従って録画するのか、第２の録画条件に設定された録画モードに従って録画するのかが判断され、最も高画質で録画できる録画モードに従って録画を行うことが決定される。
【００３８】
例えば、第１の録画条件に設定されていた録画モードの方が、第２の録画条件に設定されていた録画モードより高画質で録画を行うことができる場合、第１の録画条件にも第２の録画条件にも合うとして選択されたコンテンツは、第１の録画条件に設定されていた方の録画モードに従って録画される。
【００３９】
複数の条件に合うコンテンツはユーザの嗜好に合うものであり、重要なコンテンツであると考えられるから、このようにして録画モードが決定されることにより、その重要なコンテンツを高画質で録画することが可能になる。すなわち、より適切であると考えられる設定に従って録画を行うことが可能になる。
【００４０】
録画予約を設定し、コンテンツの録画を行う録画装置１の一連の処理についてはフローチャートを参照して後述する。
【００４１】
図２は、録画装置１の機能構成例を示すブロック図である。図２に示す機能部のうちの少なくとも一部は、図１の制御部２１により所定のプログラムが実行されることによって実現される。
【００４２】
図２に示されるように、録画装置１においては、録画条件管理部４１、検索部４２、録画モード判断部４３、および録画制御部４４が実現される。
【００４３】
録画条件管理部４１は、ユーザにより設定された録画条件と録画モードを対応付けて管理する。録画条件管理部４１は、例えば、放送波、対象時間帯、ジャンル、キーワードについての設定をセットにしてそれぞれの録画条件を管理する。
【００４４】
放送波の設定は、どの放送波によって放送されるコンテンツを録画対象とするのかに関する設定であり、「地上デジタル放送」、「BSデジタル放送」、「CSデジタル放送」、「地上アナログ放送」などの中から選択可能とされる。
【００４５】
対象時間帯の設定は、どの時間帯に放送されるコンテンツを録画対象とするのかに関する設定であり、「全ての時間帯」、「午前」、「午後」などの中から選択可能とされる。
【００４６】
ジャンルの設定は、どのジャンルのコンテンツを録画対象とするのかに関する設定であり、「全てのジャンル」、「バラエティ」、「ニュース」、「スポーツ」などの中から選択可能とされる。
【００４７】
キーワードの設定は、同じキーワードをタイトルやあらすじなどの中に含むコンテンツを録画対象とすることを指定する設定であり、有名人の名前、地名などの各種の単語を指定することが可能とされる。
【００４８】
録画条件管理部４１においては、このような条件のセットからなるそれぞれの録画条件と、ユーザにより設定された録画モードが対応付けて管理される。例えば、転送レートの高い順に「XPモード」、「SPモード」、「LPモード」と用意されている中から、いずれかの録画モードを選択することが可能とされる。
【００４９】
検索部４２は、ハードディスク１４に記憶されている検索用のEPGデータを参照して、録画条件管理部４１により管理されている録画条件に合うコンテンツを選択する。例えば、１つの録画条件について１つの候補リストが作成され、それぞれの候補リストには、録画条件に合う複数のコンテンツが挙げられる。候補リストに挙げられているそれぞれのコンテンツには、録画条件との一致度などのスコアが付されている。検索部４２は、検索結果としての候補リストを録画モード判断部４３に出力する。
【００５０】
録画モード判断部４３は、検索部４２から供給された候補リストに挙げられているコンテンツの中から、録画対象とするコンテンツを選択するとともに、録画対象のコンテンツの録画モードを録画条件管理部４１に問い合わせて決定する。
【００５１】
また、録画モード判断部４３は、同じコンテンツが異なる候補リストに重複して挙げられている場合、そのコンテンツを録画対象のコンテンツとして選択するとともに、そのコンテンツをどの録画モードに従って録画するのかを決定する。
【００５２】
録画モード判断部４３は、録画対象のコンテンツの情報と、録画モードに関する情報を録画制御部４４に出力し、録画予約を設定する。
【００５３】
録画制御部４４は、録画モード判断部４３により選択されたコンテンツの放送が開始されたとき、デジタル放送用チューナ１２を制御してそのコンテンツを選局させる。また、録画制御部４４は、Hostマイクロコンピュータ１３などを制御して、録画対象のコンテンツのAVストリームをハードディスク１７に記憶させる。
【００５４】
次に、以上のような構成を有する録画装置１の処理について説明する。
【００５５】
はじめに、図３のフローチャートを参照して、録画条件を設定する録画装置１の処理について説明する。
【００５６】
この処理は、録画条件の設定画面がテレビジョン受像機に表示されているときに開始される。
【００５７】
ステップＳ１において、録画条件管理部４１は、放送波、対象時間帯、ジャンル、キーワードからなる録画条件についてのユーザによる選択を受け付ける。録画条件管理部４１に対しては、ユーザの操作の内容を表す信号がUI制御部２２から供給されてくる。
【００５８】
ステップＳ２において、録画条件管理部４１は、録画モードについてのユーザの選択を受け付ける。
【００５９】
ステップＳ３において、録画条件管理部４１は、ユーザにより選択された録画条件と録画モードを対応付けて管理し、処理を終了させる。
【００６０】
以上の処理が繰り返し行われることにより、複数の録画条件がそれぞれ録画モードと対応付けて録画条件管理部４１により管理される。
【００６１】
次に、図４のフローチャートを参照して、録画予約を設定する録画装置１の処理について説明する。
【００６２】
この処理は、ハードディスク１４に記憶されているEPGデータが更新されたとき、１つのコンテンツの録画が終了したときなどの所定のタイミングで行われる。
【００６３】
ステップＳ１１において、検索部４２は、録画条件管理部４１により管理されている１つの録画条件を選択する。
【００６４】
ステップＳ１２において、検索部４２は、ハードディスク１４に記憶されている検索用のEPGデータを参照して、放送予定のコンテンツの中からステップＳ１１で選択した録画条件に合うコンテンツを検索し、候補リストを作成する。作成された候補リストは録画モード判断部４３に出力される。
【００６５】
ステップＳ１３において、検索部４２は、全ての録画条件に従ってコンテンツの検索を行ったか否かを判定する。
【００６６】
全ての録画条件に従ってコンテンツの検索を行っていないとステップＳ１３において判定した場合、検索部４２は、ステップＳ１１に戻りそれ以降の処理を繰り返す。すなわち、まだ選択されていない録画条件が新たに選択され、選択された録画条件に従ってコンテンツの検索が繰り返される。
【００６７】
一方、全ての録画条件に従ってコンテンツの検索を行ったとステップＳ１３において判定された場合、ステップＳ１４において、録画モード判断部４３は、検索部４２から供給された候補リストに挙げられているコンテンツの中から録画対象のコンテンツを選択するとともに、録画モードを選択する。
【００６８】
例えば、同じコンテンツが異なる候補リストに重複して挙げられている場合、録画モード判断部４３は、そのコンテンツを録画対象のコンテンツとして選択する。また、録画モード判断部４３は、同じコンテンツが挙げられているそれぞれの候補リストを作成するときに用いた録画条件と対応付けて管理されている録画モードを録画条件管理部４１に問い合わせ、通知された録画モードのうち、最も高画質で録画できる録画モードを選択する。
【００６９】
ステップＳ１５において、録画モード判断部４３は、録画対象として選択したコンテンツの情報と、それぞれのコンテンツの録画モードの情報を録画制御部４４に出力し、録画予約を設定する。その後、処理は終了される。
【００７０】
次に、図５のフローチャートを参照して、録画を行う録画装置１の処理について説明する。
【００７１】
ステップＳ２１において、録画制御部４４は、録画対象のコンテンツの放送が開始されたか否かを判定し、放送が開始されたと判定するまで待機する。
【００７２】
録画対象のコンテンツの放送が開始されたとステップＳ２１において判定した場合、ステップＳ２２において、録画制御部４４は、デジタル放送用チューナ１２を制御するなどして、設定されている録画モードに従ってコンテンツの録画を行わせる。その後、処理は終了される。
【００７３】
以上の処理により、複数の候補リストに重複して挙げられていたコンテンツについては、より高画質での録画が自動的に行われることになる。
【００７４】
以上においては、複数の候補リストに重複して同じコンテンツが挙げられている場合、高画質で録画できる方の録画モードが優先されて録画予約が設定されるものとしたが、例えば、地上波アナログ放送と地上波デジタル放送で同じコンテンツが放送され、そのコンテンツが、地上波アナログ放送のコンテンツを対象とした録画条件と、地上波デジタル放送のコンテンツを対象とした録画条件の双方の録画条件に合うコンテンツとして候補リストに挙げられている場合、地上デジタル放送で放送されるコンテンツの方が録画対象にされるといったように、放送波に応じて、どのコンテンツを録画対象とするのかが選択されるようにしてもよい。
【００７５】
また、同じコンテンツが異なる放送レートで放送される場合において、高い放送レートで放送される方のコンテンツと、低い放送レートで放送される方のコンテンツとがそれぞれ候補リストに挙げられているとき、高い放送レートで放送されるコンテンツの録画が行われるように録画予約が設定されるようにしてもよい。
【００７６】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な汎用のパーソナルコンピュータなどに、プログラム記録媒体からインストールされる。
【００７７】
図６は、上述した一連の処理をプログラムにより実行するコンピュータのハードウエアの構成例を示すブロック図である。
【００７８】
CPU(Central Processing Unit)５１、ROM(Read Only Memory)５２、RAM(Random Access Memory)５３は、バス５４により相互に接続されている。
【００７９】
バス５４には、さらに、入出力インターフェース５５が接続されている。入出力インターフェース５５には、キーボード、マウス、マイクロホンなどよりなる入力部５６、ディスプレイ、スピーカなどよりなる出力部５７、ハードディスクや不揮発性のメモリなどよりなる記憶部５８、ネットワークインタフェースなどよりなる通信部５９、磁気ディスク、光ディスク、光磁気ディスク、或いは半導体メモリなどのリムーバブルメディア６１を駆動するドライブ６０が接続されている。
【００８０】
以上のように構成されるコンピュータでは、CPU５１が、例えば、記憶部５８に記憶されているプログラムを入出力インターフェース５５及びバス５４を介してRAM５３にロードして実行することにより、上述した一連の処理が行われる。
【００８１】
CPU５１が実行するプログラムは、例えばリムーバブルメディア６１に記録して、あるいは、ローカルエリアネットワーク、インターネット、デジタル放送といった、有線または無線の伝送媒体を介して提供され、記憶部５８にインストールされる。
【００８２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００８３】
本発明の実施の形態は、上述した実施の形態に限定されるものではなく、本発明の要旨を逸脱しない範囲において種々の変更が可能である。
【図面の簡単な説明】
【００８４】
【図１】本発明の一実施形態に係る録画装置の構成例を示すブロック図である。
【図２】録画装置の機能構成例を示すブロック図である。
【図３】録画装置の録画条件設定処理について説明するフローチャートである。
【図４】録画装置の録画予約設定処理について説明するフローチャートである。
【図５】録画装置の録画処理について説明するフローチャートである。
【図６】パーソナルコンピュータの構成例を示すブロック図である。
【符号の説明】
【００８５】
１  録画装置，  ４１  録画条件管理部，  ４２  検索部，  ４３  録画モード判断部，  ４４  録画制御部
【図１】
2009071399.tif 000003
【図２】
2009071399.tif 000004
【図３】
2009071399.tif 000005
【図４】
2009071399.tif 000006
【図５】
2009071399.tif 000007
【図６】
2009071399.tif 000008